(57)【要約】【課題】  液体と固体とを同時に保管できる容器を提供する。【解決手段】  ２以上のものを分離した状態で収納する容器であって、筒形状の胴部を有する少なくとも２つの容器体を備え、２つの容器体はさらに、２つの容器体の胴部が直線状に並んだ状態で他方の容器体と着脱可能に係合する係合部を有する。これにより、本考案にかかる二層式の容器は、液体と固体を同時に保管することができる。すなわち、飲料水とサプリメント等の固形物とを一体化した容器に保管し販売することが可能である。【選択図】        図１
0003110459.tif 000002
【実用新案登録請求の範囲】
【請求項１】
２以上のものを分離した状態で収納する容器であって、
筒形状の胴部を有する少なくとも２つの容器体を備え、
前記２つの容器体はさらに、前記２つの容器体の胴部が直線状に並んだ状態で他方の容器体と着脱可能に係合する係合部を有する
ことを特徴とする容器。
【請求項２】
前記容器体は、円筒形であることを特徴とする請求項１に記載の容器。
【請求項３】
前記容器体は、ボトルであることを特徴とする請求項１に記載の容器。
【請求項４】
前記係合部は、容器体のバネ力によって他の容器体と係合されることを特徴とする請求項１〜３の何れか１項に記載の容器。
【請求項５】
前記係合部は、容器体のねじ構造によって他の容器体と係合されることを特徴とする請求項１〜３の何れか１項に記載の容器。
【請求項６】
前記容器体にはロゴマークが印刷されていることを特徴とする請求項１〜５の何れか１項に記載の容器。
【請求項７】
前記容器体には数字が印刷されていることを特徴とする請求項１〜６の何れか１項に記載の容器。
【請求項８】
前記容器体には液体物が収納されていることを特徴とする請求項１〜７の何れか１項に記載の容器。
【請求項９】
前記容器体には固形物が収納されていることを特徴とする請求項１〜７の何れか１項に記載の容器。
【請求項１０】
前記容器体は、アルミにより構成されていることを特徴とする請求項１〜９の何れか１項に記載の容器。
【請求項１１】
前記容器体は、ポリエチレンテレフタレート樹脂により構成されていることを特徴とする請求項１〜９の何れか１項に記載の容器。
【考案の詳細な説明】
【技術分野】
【０００１】
本考案は、液体と固体をともに保管する容器に関する。
【背景技術】
【０００２】
アルミボトルやペットボトル（ポリエチレンテレフタレート樹脂性容器）は、清涼飲料水などの容器として利用されている。これらは、長期に内容物を保存できるというメリットがある。
【０００３】
従来のペットボトルには液体のみを保存する容器であって、同時に固体物を保管することはできなかった。ペットボトルに付加的な容器を取り付けるものとしては、コップを取り付けるものが存在する（例えば、特許文献１）。
【特許文献１】特開２００１−１８０６３８号公報
【考案の開示】
【考案が解決しようとする課題】
【０００４】
しかしながら、上記従来の技術によれば、ボトルに付加されている容器はコップであり、液体物は保存できるものの、液体物と固体物とを同時に保管することはできない。
【０００５】
例えば、成人向けにはアルコールとおつまみ、あるいは栄養ドリンクと固形サプリメントなど、子供向けには清涼飲料水とお菓子などと、それぞれの年齢によって要求は異なるが、いずれの年齢においても液体物と固体物とを同時に摂取したい場合が存在する。そのため、消費者の利便性を高める液体物と固体物を同時に保管する容器が望まれている。
【０００６】
一方、販売者においては、液体物と固体物とを同時に保管して販売することは、販売単価を増加することができメリットがある。特に自動販売機などにおいては、通常の清涼飲料水より高い価格設定をすることができ、売り上げを増加することが可能である。
【０００７】
そこで、本考案は、このような状況に鑑みてなされたものであり、液体物と固体物とを同時に提供するような、混合することなく２以上の物品を提供することができる容器を提供することを目的とする。
【課題を解決するための手段】
【０００８】
上記目的を達成するために、本考案に係る容器は、２以上のものを分離した状態で収納する容器であって、筒形状の胴部を有する少なくとも２つの容器体を備え、前記２つの容器体はさらに、前記２つの容器体の胴部が直線状に並んだ状態で他方の容器体と着脱可能に係合する係合部を有することを特徴とする。
【０００９】
このように本考案に係る容器は、複数の容器体の胴部が直線状に並んだ状態で着脱可能に係合することができる。これにより、各容器体に別の商品を収納し販売することができ。販売者、消費者ともに利点がある。
【００１０】
ここで、前記容器体は、円筒形であってもよく、前記容器体は、ボトルであっても良い。
【００１１】
この構成によれば、容器体を円筒形、もしくはボトル型とすることができる。
ここで、前記係合部は、容器体のバネ力によって他の容器体と係合されてもよく、前記係合部は、容器体のねじ構造によって他の容器体と係合されてもよい。
【００１２】
この構成によれば、容器体をバネ力もしくはねじ構造により係合することができる。
ここで、前記容器体にはロゴマークが印刷されてもよく、前記容器体には数字が印刷されてもよい。
【００１３】
この構成によれば、ロゴマークにより本容器を、また数字により内容物を一目で識別することができる。
【００１４】
ここで、前記容器体には液体物が収納されてもよく、前記容器体には固形物が収納されてもよい。
【００１５】
この構成によれば、液体物や固体物を容器体に収納することができる。
ここで、前記容器体は、アルミにより構成されてもよい。
【００１６】
この構成によれば、容器体をアルミによって構成することができるという効果がある。
ここで、前記容器体は、ポリエチレンテレフタレート樹脂により構成されてもよい。
【００１７】
この構成によれば、容器体をポリエチレンテレフタレート樹脂によって構成することができる。
【考案の効果】
【００１８】
本考案にかかる多層式容器は、液体物と固体物を同時に保管することができる。つまり、栄養ドリンク剤等とビタミン剤などの固形のサプリメント等とを一体化した容器に保管し販売することが可能である。
【考案を実施するための最良の形態】
【００１９】
以下、本考案の実施の形態について図面を用いて詳細に説明する。
図１は、本考案の実施の形態に係る二層式アルミボトル１を各構成要素に分解した場合の外観図である。また、図２は図１の各構成要素を一体化した場合の外観図である。２層式アルミボトル１は、上層部２、蓋３、下層部４より構成されている。
【００２０】
上層部２は、液体物を保管するものである。天然水、スポーツドリンク、ドリンク剤等の液体物を保管することに適している。上層部２の給水口５周辺はねじ構造６ａとなっている。また上層部の下部周辺も同様にねじ構造７ａとなっている。
【００２１】
蓋３は、ねじ構造６ｂが備えられ上層部２のねじ構造６ａの部位と着脱自在で一体化することができる。このため、上層部２内に保管された液体がこぼれることを防ぐことが可能である。
【００２２】
下層部４は、固体を保管するものである。ビタミン剤、カルシウム等の固形のサプリメントや、キャンディー等のお菓子、食玩等の玩具を保管することに適している。下層部４の上部周辺は、ねじ構造７ｂとなっており、上層部２のねじ構造７ａと着脱自在で一体化することができる。
【００２３】
上述のように、上層部２と下層部４とはねじ構造７ａ、７ｂにより、簡単に着脱することができる。したがって、上層部２と下層部４とを一体化した状態で販売者は消費者に販売することができる。消費者は購入後、上層部２と下層部４とを取り外し、液体物及び固体物を摂取することができる。
【００２４】
また、上層部２にはロゴマーク８が印刷されている。これにより一目で本考案のアルミボトル１であることを識別することができる。さらに、上層部２、下層部４には、それぞれ数字９ａ、９ｂが印刷されている。この数字９ａ、９ｂが１のときは、上層部２に天然水、下層部４にビタミン剤、また数字が２のときは、上層部２にスポーツドリンク、下層部４にキャンディーというように、数字９ａ、９ｂと内容物とを対応付けることにより、数字９ａ、９ｂを見るだけで内容物が一目でわかるようにすることができる。
【００２５】
上述においては上層部２と下層部４をねじ構造７ａ、７ｂにより、着脱可能としたが図３のようにバネ性を利用して押し込むことにより着脱可能としても良い。
【００２６】
また、図４のようにすべての容器体を円筒状にして上層部４１、中層部４２、下層部４３としても良い。このような場合においても、例えば上層部４１に液体物、中層部４２、下層部４３に固形物を保管するようにしてよい。
【００２７】
また、図５のように下層部４には通常固形物を入れるが、図６のように下層部４をコップとして利用するようにしても良い。
【００２８】
このような多層式アルミ容器には以下にあげるような消費者の側から見ての利点がある。
（１）液体と固体を一体化して保管することができるため、持ち運びに便利である。
（２）各層は簡単に着脱可能であるため、容易に使用することができる。
（３）たとえば、栄養ドリンク剤と、ビタミン剤の組み合わせしたもの、清涼飲料水と食玩を組み合わせしたもの等、液体物と固体物を組み合わせた機能食品を簡単に購入することができる。
【００２９】
また、同様に以下にあげるような販売者の側から見ての利点がある。
（１）製造工程が、従来のアルミ容器と大差がなく、製造コストをあまり増大させず製造することができる。
（２）液体物と固体物を同時に販売することができる。そのため売上高の向上に寄与する。
【００３０】
図７は自動販売機で、本考案の多層式容器を用いた商品を販売する一例である。７１は３層式の商品、７２は２層式の商品、７３は上層部のみの商品、７４はサイズが大きい２層式の商品である。このように一体化の有無、一体化した個数を種々変更することにより多様なバリエーションで販売を行うことができる。
【００３１】
以上のように、多層式アルミ容器は消費者側、販売側双方に多数の利点を有している。
なお、本実施の形態においては材質がアルミの場合についてについて述べたが、材質がポリエチレンテレフタレート樹脂性容器であるものに対し本考案を適用し多層式容器としても良い。
【産業上の利用可能性】
【００３２】
本考案にかかる容器は、例えば液体物と固体物を同時に保管できる容器として利用することができる。
【図面の簡単な説明】
【００３３】
【図１】本考案の実施の形態に係るアルミボトルの構成を示す外観図である。
【図２】本考案のアルミボトルを一体化した場合の外観図である。
【図３】押し込み形の一体化方法を示した図である。
【図４】３層式のアルミ容器を示した外観図である。
【図５】下層部に固形物を入れた一例である。
【図６】下層部をコップとして利用する一例である。
【図７】本考案の多層式容器を利用した商品を自動販売機で販売する一例である。
【符号の説明】
【００３４】
１    二層式アルミボトル
２、４１    上層部
３    蓋
４、４３    下層部
５    給水口
６ａ、６ｂ、７ａ、７ｂ    ねじ構造
８    ロゴマーク
９ａ、９ｂ    数字
４２  中層部
７１  ３層式の商品
７２  ２層式の商品
７３  上層部のみの商品
７４  サイズが大きい２層式の商品
【図１】
0003110459.tif 000003
【図２】
0003110459.tif 000004
【図３】
0003110459.tif 000005
【図４】
0003110459.tif 000006
【図５】
0003110459.tif 000007
【図６】
0003110459.tif 000008
【図７】
0003110459.tif 000009